(57)【要約】      （修正有）【課題】連結フレームの強度を保ちつつ、座り心地のよい椅子を提供する。【解決手段】両側フレームの後端部が、後方に向かって漸次左右間距離を増大させつつ上方に伸びるように傾斜したものであり、連結フレームが、後縁の左右方向長さが前縁の左右方向長さよりも大きくなるような台形状の平面部を有したものであり、その連結フレームの左右の端縁を前記両側フレームの後端部に接合している。【選択図】図６
2012090791.tif 000002
【特許請求の範囲】
【請求項１】
左右の座受用側フレーム及びこれら側フレームの後端部同士を連結する後ろの座受用連結フレーム上に座板を配したものであって、
前記両側フレームの後端部が、後方に向かって漸次左右間距離を増大させつつ上方に伸びるように傾斜したものであり、前記連結フレームが、後縁の左右方向長さが前縁の左右方向長さよりも大きくなるような台形状の平面部を有したものであり、その連結フレームの左右の端縁を前記両側フレームの後端部に接合していることを特徴とする椅子。
【請求項２】
前記連結フレームが、平面部の左右の端縁を前記両側フレームの傾斜した後端部に溶接により接合されたものである請求項１記載の椅子。
【請求項３】
前記座板が、前記連結フレームに対応する後端部分が上方に反り上がった形状をなしている請求項１又は２記載の椅子。
【請求項４】
前記連結フレームに後側から貫通させたビスにより前記座板を前記連結フレームに緊締固着している請求項１、２又は３記載の椅子。
【請求項５】
前記座受用側フレームが、前端側から後端側に向けて左右間距離が漸次変化するように形成された傾斜部分を備えたものであり、前記座板が、前記座受用側フレームの傾斜部分に沿うように配された突部を備えたものであり、前記ビスの緊締力によって、前記座板を前記突部が前記座受用側フレームの傾斜部分に密着する方向に付勢するように構成されている請求項４記載の椅子。
【請求項６】
前記連結フレームが、平面部のみからなる平板状のものであって、その平板状の連結フレーム上に座板の下面に左右方向に間隔を開けて形成した複数の支持突部の先端を当接させており、前記連結フレームの縁に沿って左右に伸び前記連結フレームの前後の位置決めを行う位置決め突部を備えたものである請求項１、２、３、４又は５記載の椅子。
【発明の詳細な説明】
【技術分野】
【０００１】
本発明は、学校用または事務用等として好適に使用される椅子に関する。
【背景技術】
【０００２】
従来、この種の椅子においては、左右の側フレームと、これら側フレームを後側で連結する後ろの連結フレームと、前記側フレームを前側で連結する前の連結フレームとからなるフレーム上に座板を配したものが種々考えられている（例えば、特許文献１を参照）。
【０００３】
このような椅子では、それぞれ平面視長方形状をなす前後の連結フレームが、左右間距離を一定に保った左右の側フレームに溶接等の方法により取り付けられている。
【０００４】
ところで、これらの前後の連結フレームは、着座者の底付き感を減らすために、座板との接触面積を少なくすることが考えられる。しかしながら、座板との接触面積を少なくするべく連結フレームの前後寸法を小さくすると、それに伴って連結フレームと側フレームとの接合部分が小さくなってしまい、連結フレームの強度を保つことが難しくなる。
【０００５】
このような問題は、特に荷重のかかりやすい座板の後側の部分で生じやすい。
【先行技術文献】
【特許文献】
【０００６】
【特許文献１】特開平８−２４０８１号公報
【発明の概要】
【発明が解決しようとする課題】
【０００７】
本発明は、以上のような事情に着目してなされたものであり、連結フレームの強度を保ちつつ、座り心地のよい椅子を提供することを目的とする。
【課題を解決するための手段】
【０００８】
本発明は、以上のような課題を解決するために、次のような構成を採用したものである。すなわち、本発明に係る椅子は、左右の座受用側フレーム及びこれら側フレームの後端部同士を連結する後ろの座受用連結フレーム上に座板を配したものであって、前記両側フレームの後端部が、後方に向かって漸次左右間距離を増大させつつ上方に伸びるように傾斜したものであり、前記連結フレームが、後縁の左右方向長さが前縁の左右方向長さよりも大きくなるような台形状の平面部を有したものであり、その連結フレームの左右の端縁を前記両側フレームの後端部に接合していることを特徴とする。
【０００９】
このようなものであれば、台形状の連結フレームのうち平行な上底及び下底以外の２辺をそれぞれ、後方に向かって漸次左右間距離を増大させた側フレームに沿うように接合することができる。そのため、連結フレームの前後寸法をそれほど大きくすることなく、接合部分を連結フレームの前後幅よりも大きくすることができる。したがって、連結フレームの強度を保ちつつ、座り心地のよい椅子を提供することができる。
【００１０】
連結フレームの好適な一態様としては、平面部の左右の端縁を前記両側フレームの傾斜した後端部に溶接により接合されたものが挙げられる。
【００１１】
座板は、前記連結フレームに対応する後端部分が上方に反り上がった形状をなしているものが好ましい。
【００１２】
連結フレームに後側から貫通させたビスにより前記座板を前記連結フレームに緊締固着しているものであれば、取り付け作業を比較的容易に行うことができる。
【００１３】
座受用側フレームが、前端側から後端側に向けて左右間距離が漸次変化するように形成された傾斜部分を備えたものである場合の好適な態様としては、前記座板が、前記座受用側フレームの傾斜部分に沿うように配された突部を備えたものであり、前記ビスの緊締力によって、前記座板を前記突部が前記座受用側フレームの傾斜部分に密着する方向に付勢するように構成されているものが挙げられる。
【００１４】
連結フレームが、平面部のみからなる平板状のものである場合の好適な態様としては、その平板状の連結フレーム上に座板の下面に左右方向に間隔を開けて形成した複数の支持突部の先端を当接させており、前記連結フレームの縁に沿って左右に伸び前記連結フレームの前後の位置決めを行う位置決め突部を備えたものが挙げられる。
【発明の効果】
【００１５】
本発明は、以上のような構成であるから、連結フレームの強度を保ちつつ、座り心地のよい椅子を提供することができる。
【図面の簡単な説明】
【００１６】
【図１】本発明の一実施形態を示す椅子の全体斜視図。
【図２】同実施形態を示す椅子の正面図。
【図３】同実施形態を示す椅子の背面図。
【図４】同実施形態を示す椅子の右側面図。
【図５】同実施形態を示す椅子の平面図。
【図６】同実施形態を示す椅子の底面図。
【図７】同実施形態を示す椅子の分解斜視図。
【図８】同実施形態の座板における保護シート受けを取り付けていない状態を示す底面図。
【図９】同実施形態の中央側断面図。
【図１０】同実施形態の要部を拡大して示す断面図。
【図１１】同実施形態の要部を拡大して示す断面図。
【図１２】同実施形態の要部を拡大して示す断面図。
【図１３】同実施形態の要部を分解して示す説明図。
【図１４】同実施形態の背板の取付部を拡大して示す側断面図。
【図１５】同実施形態の椅子を用いたスタッキング状態を示す説明図。
【図１６】同実施形態の椅子を用いたスタッキング状態を断面で示す説明図。
【発明を実施するための形態】
【００１７】
以下、本発明の一実施形態について図１ないし図１６を参照して説明する。
【００１８】
この実施形態は、本発明を上下方向にスタッキング可能な椅子１に適用したものである。この椅子１は、椅子本体２に座板３及び背板４を支持させてなるものである。
【００１９】
椅子本体２は、図１ないし図７、及び図９ないし図１４に示すように、接地体２１１を介して床上に載置される左右のベース２１と、これら各ベース２１の前端から上方に延出する左右の前脚２２と、前記各ベース２１の後端から上方に延出する左右の後脚２３と、この後脚２３の中間部と前記前脚２２の上端とを繋ぐ左右の側フレーム２５と、これら側フレーム２５の前端近傍部間に架設された前連結フレーム２６と、前記後脚２３間に前記側フレーム２５を介して架設された後連結フレーム２４と、前記左右の前脚２２の上端近傍部間に架設された前フレーム２７とを備えてなる。前記側フレーム２５と、前連結フレーム２６、及び、後連結フレーム２４は、上に座板３を配置するためのものであり、本発明の座受用フレームを構成する。この座受用フレームは、座板３の前後左右縁に沿って配置され、閉じた四角形状をなす。前記ベース２１、前脚２２、後脚２３、及び側フレーム２５は、共通の金属線材や丸パイプを曲げることにより一体に構成されたもので、前記座板３及び背板４に作用する荷重を受けることが可能な強度を備えている。そして、前記前連結フレーム２６及び後連結フレーム２４に前記座板３を支持させている。
【００２０】
前記前連結フレーム２６は、図６、図７、図９及び図１０に示すように、縁に折曲げ部を有しない平板状のもので、その左右の端縁２６１を前記両側フレーム２５に溶接により接合している。そして、この前連結フレーム２６は、前縁２６５の左右方向長さが後縁２６６の左右方向長さよりも大きくなるような台形状の平面部２６２を有したものであり、その前連結フレーム２６の左右の端縁２６１を前記両側フレーム２５の前端部２５１に接合している。なお、この実施形態においては、前連結フレーム２６は、前縁２６５及び後縁２６６に折曲げ部を一切有しておらず平面部２６２のみから構成されている。この前連結フレーム２６の左右両端部２６４には、取付具たるビス５３を挿通させるためのビス孔２６３が設けられており、その左右両端部２６４のみが座板３に止着される。この平板状の前連結フレーム２６は、座板３にかかる荷重を受けて厚み方向に弾性変形し得る厚み寸法を有する金属製のものである。
【００２１】
前記後連結フレーム２４は、図３、図６、図７、図８及び図１１に示すように、縁に折曲げ部を有しない平板状のもので、その左右の端縁２４１を前記両側フレーム２５に溶接により接合している。そして、この後連結フレーム２４は、後縁２４６の左右方向長さが前縁２４５の左右方向長さよりも大きくなるような台形状の平面部２４２を有したものであり、その後連結フレーム２４の左右の端縁２４１を前記両側フレーム２５の後端部２５２に接合している。なお、この実施形態においては、後連結フレーム２４は、前縁２４５及び後縁２４６に折曲げ部を一切有しておらず平面部２４２のみから構成されている。この後連結フレーム２４の左右両端部２４４には、取付具たるビス５２を挿通させるためのビス孔２４３が設けられており、その左右両端部２４４のみが座板３に止着される。この平板状の後連結フレーム２４は、座板３にかかる荷重を受けて厚み方向に弾性変形し得る厚み寸法を有する金属製のものである。
【００２２】
前記側フレーム２５は、図２ないし図４、図６、図７、及び図９ないし図１４に示すように、平面視において、前方から後方に向けて左右間距離が漸次縮小するように形成された緩傾斜部分２５３と、この緩傾斜部分２５３の後端に連続させて設けられ前方から後方に向けて左右間距離が漸次拡大するように形成された急傾斜部分２５４とからなるもので、平面視くの字形をなしている。すなわち、この実施形態においては、各側フレーム２５の後端部２５２が急傾斜部分２５４をなし、後端部２５２以外の部位が緩傾斜部分２５３をなしている。また、側面視において、緩傾斜部分２５３は後方に向かって漸次低くなるように緩く傾斜しており、急傾斜部分２５４は後方に向かって漸次高くなるように急傾斜している。そして、これら側フレーム２５の前端部２５１の内側に、前記前連結フレーム２６の左右の端縁２６１を略全域にわたって溶接により接合している。また、これら側フレーム２５の後端部２５２の内側に、前記後連結フレーム２４の左右の端縁２４１を略全域にわたって溶接により接合している。換言すれば、後連結フレーム２４は、後上方に向かって傾斜する左右の側フレーム２５の後端部２５２間を接続しており、そのため、この後連結フレーム２４が側フレーム２５の後端部２５２に沿って後ろ上方に向かって傾斜している。そして、後連結フレーム２４の左右両端部２４４に設けられた座板３を止めるビス孔２４３は、斜め前上方を向いている。
【００２３】
以上のようにしてなる椅子本体２の上に座板３を配している。そして、この座板３は、その下面と前記側フレーム２５の上面との間に当該座板３の下方への撓みを許容できるだけの隙間５１を形成した状態で取り付けられている。
【００２４】
座板３は、図１ないし図１４に示すように、座板本体３１と、この座板本体３１の下面に設けられた前後の連結フレーム係合部３２、３３と、前記座板本体３１の下面に設けられた左右の側フレーム係合部３４と、前記座板本体３１の前端部下面に設けられた左右の指挟み防止部３５と、前記各連結フレーム係合部３２、３３の左右両端に設けられた取付部３６、３７とを備えたものであり、その前端部分３８が下方に垂れ下がった形状をなしているとともに、後端部分３９が上方に反り上がった形状をなしている。この座板３は、本実施形態においては、合成樹脂により一体に成形されている。
【００２５】
座板本体３１は、図１ないし図１４に示すように、中間領域に複数の貫通孔３１１を備えたものである。貫通孔３１１は、座板本体３１の前縁部分においては直線状に配列されているとともに、後縁部分においては弧を描くように配列されており、中間部分は前から後ろに向かって漸次曲率が大きくなるようにして弧を描くように配列されている。また、これら貫通孔３１１の大きさは、座板本体３１の前縁部分から後縁部分に向かって漸次大きくなるように設定されている。各貫通孔３１１は、上半部に設けた円筒部分３１６と下半部に設けられ下方に向かって拡開する円錐部分３１７とを備えたもので、円筒部分３１６と円錐部分３１７との境界部分３１８には、座板３の上面部分から視認可能な稜線が形成されている。
【００２６】
前の連結フレーム係合部３２は、図６ないし図１０に示すように、前記前連結フレーム２６を下側から係わり合わせるためのもので、左右方向に間隔を開けて座板本体３１の下面から突設された前後に伸びる前後リブ３２１と、これら前後リブ３２１の前縁を連結するようにして座板本体３１の下面から突設された左右方向に伸びる前の左右リブ３２２と、前記前後リブ３２１の後縁を連結するようにして座板本体３１の下面から突設された左右方向に伸びる後ろの左右リブ３２３とを備えたものである。すなわち、各前後リブ３２１と前後の左右リブ３２２、３２３とは、一体化されている。前後リブ３２１は、前記前連結フレーム２６上に先端を当接させたもので、各前後リブ３２１が均等に前連結フレーム２６に当接し得る突出寸法に設定されている。前の左右リブ３２２は、前記前連結フレーム２６の前縁２６５に沿って伸びるものであり、前連結フレーム２６の下面よりも下方に突出するような寸法に設定されている。後ろの左右リブ３２３は、前記前連結フレーム２６の後縁２６６に沿って伸びるものであり、前連結フレーム２６の下面よりも下方に突出するような寸法に設定されている。すなわち、前連結フレーム２６を前後方向から覆い隠すようになっている。
【００２７】
後ろの連結フレーム係合部３３は、図３、図６ないし図９及び図１１に示すように、前記後連結フレーム２４を下側から係わり合わせるためのもので、左右方向に間隔を開けて座板本体３１の下面から突設された前後に伸びる前後リブ３３１と、これら前後リブ３３１の前縁を連結するようにして座板本体３１の下面から突設された左右方向に伸びる前の左右リブ３３２と、前記前後リブ３３１の後縁を連結するようにして座板本体３１の下面から突設された左右方向に伸びる後ろの左右リブ３３３とを備えたものである。すなわち、各前後リブ３３１と前後の左右リブ３３２、３３３とは、一体化されている。前後リブ３３１は、前記後連結フレーム２４上に先端を当接させたもので、各前後リブ３３１が均等に後連結フレーム２４に当接し得る突出寸法に設定されている。前の左右リブ３３２は、前記後連結フレーム２４の前縁２４５に沿って伸びるものであり、後連結フレーム２４の下面よりも下方に突出するような寸法に設定されている。後ろの左右リブ３３３は、前記後連結フレーム２４の後縁２４６に沿って伸びるものであり、後連結フレーム２４の下面よりも下方に突出するような寸法に設定されている。すなわち、後連結フレーム２４を前後方向から覆い隠すようになっている。なお、本発明の支持突部は、本実施形態の後ろの連結フレーム係合部３３の前後リブ３３１に対応し、本発明の位置決め突部は、本実施形態の後ろの連結フレーム係合部３３の前後の左右リブ３３２、３３３に対応している。
【００２８】
側フレーム係合部３４は、図２ないし図４、図６ないし図９及び図１１ないし図１４に示すように、側フレーム２５の上面に当接する左右リブ３４１と、側フレーム２５の内側面に沿って伸びる前後リブ３４２と、この前後リブ３４２の内側面に沿って間欠的に設けられた保護シート受け取付部３０１とを備えたものである。
【００２９】
左右リブ３４１は、側フレーム２５と座板本体３１との間に隙間５１を形成するためのもので、前後方向に間隔をあけて複数配されている。これら複数の左右リブ３４１は、座板３の下面からの突出量が後方に向かって漸次大きくなるように設定してある。具体的には、左右リブ３４１は、前後及び中間部の３箇所に設けられており、その突出量は、前の左右リブ３４１よりも中間部の左右リブ３４１が大きく、中間部の左右リブ３４１よりも後ろの左右リブ３４１が大きい。
【００３０】
前後リブ３４２は、前記側フレーム２５の緩傾斜部分２５３に沿うように配されたもので、前記緩傾斜部分２５３の後半部に後述する保護シート受け３０２を介して添設している。これら左右対をなす前後リブ３４２は、それぞれ前後方向に連続して形成されたものである。
【００３１】
保護シート受け取付部３０１は、下面に保護シート３０３を貼り設けた保護シート受け３０２を取り付けるためのもので、座板３の下面から突出しており、該座板３に一体に設けられている。保護シート受け３０２は、座板３と別体をなす樹脂製のもので、座板３の裏面に取付具たるビス５４を用いて取り付けられる。詳述すれば、この保護シート受け３０２は、前後リブ３４２及び保護シート受け取付部３０１を下面側から覆うように取り付けられる箱状のもので、底面３０４に前記保護シート受け取付部３０１に対応して設けられたビス孔３０５が設けられている。そして、保護シート受け３０２のビス孔３０５に下面側から挿通させたビス５４を保護シート受け取付部３０１に螺着することによって、前記保護シート受け３０２を前記座板３に固定している。保護シート受け３０２は、下端部の底面３０４側に形成した凹溝３０６に沿って発泡シート等の保護シート３０３を添着し、その保護シート３０３の下面を案内面３０７としている。これらの左右の案内面３０７は、前端から後方に向けて左右間距離が漸次小さくなるように傾斜させて形成されたものであり、後端部分３０８が反り上がった形状をなしている。これらの保護シート受け３０２は、図１５及び図１６に示すように、側フレーム２５よりも下方に位置する箇所に、座受用フレームに沿って前後方向に伸びるように配置され後述するスタッキング時に同一の構造をなす他の椅子Ｓ１の座板Ｓ３の上面に接触可能な案内面３０７を形成したものである。これらの保護シート受け３０２は、図１２及び図１３に示すように、クッション性を有した緩衝層３０９を備えたものであり、具体的には、保護シート受け３０２の底面３０４に緩衝層３０９を形成する保護シート３０３を添着し、その保護シート３０３の下面を案内面３０７としたものである。なお、少なくとも保護シート受け３０２の先端たる案内面３０７が座受用フレームより下方に位置している部分があればよく、本実施形態の場合の前後リブ３４２の先端は、側フレーム２５よりも下方に突出している必要はないが、前後端を除いても、前部から後部に至るそのほぼ全長において案内面３０７は側フレーム２５よりも下方に突出していると、その効果はより確実なものになる。ここで、本発明の突部は、本実施形態の左右の側フレーム係合部３４の前後リブ３４２に対応している。
【００３２】
指挟み防止部３５は、図８及び図１０に示すように、座板本体３１の下面と側フレーム２５の上面との間の隙間５１が形成された領域に設けられたもので、弾性リブ３５１と補強リブ３５２とを具備してなる。弾性リブ３５１は、座板３の下面から一体に突設されたもので、その先端３５６を側フレーム２５の外面に傾斜した状態で弾接するようにしてなる。具体的には、弾性リブ３５１は、左右方向に伸びる板状のもので、その先端３５６を側フレーム２５の前端部２５１の上面に傾斜した状態で当接させてあり、座板３に作用する上載荷重により厚み方向に弾性変形し得るようになっている。詳述すれば、この弾性リブ３５１は、側フレーム２５の前端部２５１の下方湾曲部上面に当接し、着座荷重によって、基端に対して先端３５６が前上方に回動する方向に弾性変形される。補強リブ３５２は、前記弾性リブ３５１の弾性変形を規制するためのもので、この実施形態においては、前記弾性リブ３５１の外側端３５７に一体に設けられている。すなわち、補強リブ３５２は、前記隙間５１を隠す位置に設けられており、弾性リブ３５１と補強リブ３５２とは、平面視においてＬ字形をなすように形成されている。なお、補強リブは、側フレームの前端部の側面に当接し、着座荷重によって、基端に対して先端が横上方に回動する方向に弾性変形されるようにしてもよい。
【００３３】
前の連結フレーム係合部３２における左右両端に設けられた取付部３６は、図７、図８及び図１０に示すように、座板３の前端部分３８を前連結フレーム２６に緊締固着するためのもので、座板本体３１の下面に一体に設けられたトンネル状をなすナット保持部３６１と、このナット保持部３６１内に装着される板ナット３６２とを具備してなるもので、前記ナット保持部３６１における前記板ナット３６２のめねじ孔３６６に対応する部位に貫通孔３６３が設けられている。そして、前連結フレーム２６のビス孔２６３に下面側から挿通させたビス５３を前記貫通孔３６３を通して前記めねじ孔３６６に螺着することによって、前記座板３を前記前連結フレーム２６に固定している。これら左右のナット保持部３６１の下面と、前の連結フレーム係合部３２の前後リブ３２１の先端面とは、同じ高さ位置になるように設定してある。すなわち、平板状をなす前連結フレーム２６の上面は、ナット保持部３６１の下面と前後リブ３２１の先端面に当接している。
【００３４】
後ろの連結フレーム係合部３３における左右両端に設けられた取付部３７は、図７、図８及び図１１に示すように、座板３の後端部分３９を後連結フレーム２４に緊締固着するためのもので、座板本体３１の下面に一体に設けられたトンネル状をなすナット保持部３７１と、このナット保持部３７１内に装着される板ナット３７２とを具備してなるもので、前記ナット保持部３７１における前記板ナット３７２のめねじ孔３７６に対応する部位に貫通孔３７３が設けられている。そして、後連結フレーム２４のビス孔２４３に後ろ側から挿通させたビス５２を前記貫通孔３７３を通して前記めねじ孔３７６に螺着することによって、前記座板３を前記後連結フレーム２４に固定している。これら左右のナット保持部３７１の下面と、後ろの連結フレーム係合部３３の前後リブ３３１の先端面とは、同じ高さ位置になるように設定してある。すなわち、平板状をなす後連結フレーム２４の上面は、ナット保持部３７１の下面と前後リブ３３１の先端面に当接している。なお、本実施形態においては、後連結フレーム２４及び座板３の後端部が後方に向かって漸次高くなるように傾斜しているので、前記ビス５２を締め付けることにより前記座板３が後方に牽引され、前記前後リブ３４２が保護シート受け３０２を介して側フレーム２５の緩傾斜部分２５３に密着するように設定されている。
【００３５】
背板４は、図１ないし図７、図９及び図１４に示すように、背板本体４１と、この背板本体４１の左右両側部に一体に設けられた取付部４２とを備えたもので、前記取付部４２は、前記背板本体４１の下縁４１１よりも下方に延出させてある。そして、この取付部４２に形成された下方に開口する取付孔４２１を前記後脚２３の上端２３１に嵌め合わせることによって、この背板４を椅子本体２に支持させている。後脚２３は、その上端２３１が背板本体４１の中央部における下縁４１１とほぼ同一高さ位置に達するまで取付孔４２１に挿入され固定されている。背板本体４１は、中央部が後方に膨出するように湾曲しており、その中央部の上側に開口４１２を備えている。この開口４１２は、左右方向に伸びる長孔状のもので、この開口４１２の背板４背面側における周縁部に後方に膨出するフランジ部４１３が形成されている。
【００３６】
以上説明した椅子１は、後連結フレーム２４の下方において後脚２３間が下方及び後方に向けて開放されているため、図１５及び図１６に示すように、同一構造をなす他の椅子Ｓ１の上に重ねてスタッキングすることができる。この椅子１は、他の椅子Ｓ１の上にスタッキングさせた状態で、ベース２１に取り付けられた接地体２１１の下面が他の椅子Ｓ１のベースＳ２１上に当接し、図１６に示すように、座板３、Ｓ３同士は当たらない。詳述すれば、案内面３０７と他の椅子Ｓ１の座板Ｓ３の上面との間に隙間を形成して、スタッキングさせた状態では、案内面３０７が座板Ｓ３に当たらないようにしている。なお、図１５及び図１６において、本実施形態の椅子１に対応する構成要素には、頭に「Ｓ」をつけた同様の符号を付して示すものとし、具体的な説明を省略している。
【００３７】
以上に述べたように、本実施形態に係る椅子１は、左右の側フレーム２５及びこれら側フレーム２５の後端部２５２同士を連結する後連結フレーム２４上に座板３を配したものであって、前記両側フレーム２５の後端部２５２が、後方に向かって漸次左右間距離を増大させつつ上方に伸びるように傾斜したものであり、前記後連結フレーム２４が、後縁２４６の左右方向長さが前縁２４５の左右方向長さよりも大きくなるような台形状の平面部２４２を有したものである。すなわち、後連結フレーム２４の平面部２４２が、前縁２４５と後縁２４６の長さが異なり左右端縁２４１がこれら前縁２４５及び後縁２４６に対して傾斜してなる平面視台形状をなしており、この後連結フレーム２４の左右の端縁２４１を前記両側フレーム２５の後端部２５２に接合しているので、台形状の後連結フレーム２４のうち平行な前縁２４５及び後縁２４６以外の左右２辺をそれぞれ、後方に向かって漸次左右間距離を増大させた側フレーム２５に沿うように接合させることができる。そのため、後連結フレーム２４の前後寸法をそれほど大きくすることなく、接合部分を後連結フレーム２４の前後幅よりも大きくすることができる。したがって、着座荷重のかかりやすい後連結フレーム２４の強度を保ちつつ、座り心地のよい椅子１を提供することができる。特に、本実施形態の後連結フレーム２４は、左右対称形状をなす台形状をなしており、左右の端縁２４１の前後方向の傾斜具合を側フレーム２５の後端部２５２の前後方向の傾斜具合に沿ったものとしているので、後連結フレーム２４と側フレーム２５との間を隙間なく溶接することができる。
【００３８】
本実施形態においては、前連結フレーム２６についても後連結フレーム２４に準ずる効果が得られる。すなわち、左右の側フレーム２５及びこれら側フレーム２５の前端部２５１同士を連結する前連結フレーム２６上に座板３を配したものであって、前記両側フレーム２５の前端部２５１が、後方に向かって漸次左右間距離を減少させるように傾斜したものであり、前記前連結フレーム２６が、後縁２６６の左右方向長さが前縁２６５の左右方向長さよりも小さくなるような台形状の平面部２４２を有したものであり、その前連結フレーム２６の左右の端縁２６１を前記両側フレーム２５の前端部２５１に接合しているので、台形状の前連結フレーム２６のうち平行な前縁２６５及び後縁２６６以外の左右２辺をそれぞれ、後方に向かって漸次左右間距離を減少させた側フレーム２５に沿うように接合することができる。そのため、前連結フレーム２６の前後寸法をそれほど大きくすることなく、接合部分を前連結フレーム２６の前後幅よりも大きくすることができる。したがって、前連結フレーム２６の強度を保ちつつ、座り心地のよい椅子１を提供することができる。
【００３９】
後連結フレーム２４が、平面部２４２の左右の端縁２４１を前記両側フレーム２５の傾斜した後端部２５２に溶接により接合されたものであるので、後連結フレーム２４と側フレーム２５とを前後方向及び水平方向に対して斜めで溶接することができ、従来のものに比べて溶接継ぎ手の長さを大きくできる。したがって、側フレーム２５に対して後連結フレーム２４を強力に取付けすることができる。特に、本実施形態のものでは、後連結フレーム２４の左右の端縁２４１を全域にわたって側フレーム２５に溶接しているので、接合強度をより高めることができる。
【００４０】
座板３が、前記後連結フレーム２４に対応する後端部分３９が上方に反り上がった形状をなしているので、後方に向かって上方に伸びるように傾斜した側フレーム２５の後端部２５２に沿わせることができる。
【００４１】
また、後連結フレーム２４は、後上方に向かって傾斜する左右の側フレーム２５の後端部２５２間を接続しているため、この後連結フレーム２４が側フレーム２５の後端部２５２に沿って後ろ上方に向かって傾斜している。すなわち、後連結フレーム２４の平面部２４２が、水平に対して斜めになって取り付けられている。そして、後連結フレーム２４の左右両端部２４４に設けられた座板３を止めるビス孔２４３は、斜め前上方を向いている。そのため、後連結フレーム２４に後側から貫通させたビス５２により前記座板３を前記後連結フレーム２４に緊締固着するので、組み立ての際に椅子１の背面側から作業ができ、ビス５２の締め付け作業を容易に行うことができる。
【００４２】
側フレーム２５が、前方から後方に向けて左右間距離が漸次変化するように形成された緩傾斜部分２５３及び急傾斜部分２５４を備えたものであり、前記座板３が、前記側フレーム２５の緩傾斜部分２５３及び急傾斜部分２５４に沿うように配された突部たる前後リブ３４２を備えたものであり、前記ビス５２の緊締力によって、前記座板３を前記前後リブ３４２が側フレーム２５の緩傾斜部分２５３及び急傾斜部分２５４に密着する方向に付勢するように構成されているので、ビス５２を取付部３７に取り付けた状態で、座板３と側フレーム２５との間に生じるがたつきを抑制することができる。すなわち、この実施形態においては、座板３の後端部分３９に位置する左右の取付部３７に取り付けられるビス５２をしめることによって、側フレーム２５が前後リブ３４２に密着する方向に牽引されることとなる。
【００４３】
後連結フレーム２４が、平面部２４２のみからなる平板状のものであって、その平板状の後連結フレーム２４上に座板３の下面に左右方向に間隔を開けて形成した複数の支持突部たる前後リブ３３１の先端を当接させており、前記後連結フレーム２４の前後縁２４５、２４６に沿って左右に伸び前記後連結フレーム２４の前後の位置決めを行う位置決め突部たる左右リブ３３２、３３３を備えたものであるので、これら左右リブ３３２、３３３と後連結フレーム２４の前後端縁２４５、２４６を合わせることにより、組み立て作業時に座板３の位置決めを容易に行うことができる。また、組み立てた後は、座板３に荷重がかかって座板３の中央部が下方に撓んだ場合であっても、後連結フレーム２４が左右リブ３３２、３３３を越えて前後方向にずれるおそれがなく、座板３を安定して支持することができる。また、左右リブ３３２、３３３が、前記前後リブ３３１と一体に形成されたものであるので、左右リブ３３２、３３３と前後リブ３３１とが互いに補強し合う関係にある。そのため、比較的長尺な左右リブ３３２、３３３の強度を高めることができる。そして、座板３に荷重がかかって座板３の中央部が下方に撓んだ場合であっても、前の左右リブ３３２の先端と後ろの左右リブ３３３の先端とが互いに離れる方向に開いてしまうことを抑制できる。また、これらの左右リブ３３２、３３３及び前後リブ３３１は、比較的薄い板状のものであるにもかかわらず、それらが直交して接続されているので、左右リブ３３２、３３３及び前後リブ３３１は、ある程度の強度を得ることができる。
【００４４】
本実施形態においては、前連結フレーム２６についても後連結フレーム２４に準ずる効果が得られる。すなわち、前連結フレーム２６が、平面部２６２のみからなる平板状のものであって、その平板状の前連結フレーム２６上に座板３の下面に左右方向に間隔を開けて形成した複数の支持突部たる前後リブ３２１の先端を当接させており、前記前連結フレーム２６の前後縁２６５、２６６に沿って左右に伸び前記前連結フレーム２６の前後の位置決めを行う位置決め突部たる左右リブ３２２、３２３を備えたものであるので、これら左右リブ３２２、３２３と前連結フレーム２６の前後端縁２６５、２６６を合わせることにより、組み立て作業時に座板３の位置決めを容易に行うことができる。また、組み立てた後は、座板３に荷重がかかって座板３の中央部が下方に撓んだ場合であっても、前連結フレーム２６が左右リブ３２２、３２３を越えて前後方向にずれるおそれがなく、座板３を安定して支持することができる。
【００４５】
特に、本実施形態においては、左右リブ３２２、３２３、３３２、３３３の座板３からの突出量を、前後リブ３２１、３３１の座板３からの突出量よりも大きくしているので、前後リブ３２１、３３１の先端に上面が当接された前連結フレーム２６又は後連結フレーム２４の前後端縁２４５、２４６、２６５、２６６が、左右リブ３２２、３２３、３３２、３３３の立壁面に当接し得るようになっている。なお、座板３に荷重がかかっていない状態においては、前連結フレーム２６又は後連結フレーム２４の前後端縁２４５、２４６、２６５、２６６と、左右リブ３２２、３２３、３３２、３３３の立壁面との間には、微少な隙間を設けている。
【００４６】
本実施形態の座板３は、多数の貫通孔３１１を備えたものであるので、通気性を良くすることができる。そのため、この座板３が樹脂製のものであるにもかかわらず、座板３上に長時間着座していても不快感を与えにくい。また、座板３に使われる樹脂素材によっては、貫通孔３１１を設けることによって、座板３の撓み具合を調節することができる。本実施形態のように、特に荷重のかかりやすい座板３の後端部分３９側を比較的大きな径の貫通孔３１１にするとともに、着座者の大腿部をしっかり支持したい座板３の前端部分３８側を比較的小さな径の貫通孔３１１にしているので、座板３の各箇所によって撓み具合を変化させるようにでき、座り心地を良好なものにすることができる。また、各貫通孔３１１は、円筒部分３１６と円錐部分３１７と、これらの境界部分３１８に稜線を有するものであるので、座板３の厚み寸法を実際よりも薄く見せることができる。すなわち、境界部分３１８の稜線が明確なので、座板３の斜め上方から視認した使用者は、座板３の板厚が、円筒部分３１６の厚みのみであるかのような錯覚を生じさせるものである。
【００４７】
本実施形態の背板４は、中央部に横長の開口４１２を設けたものであるので、通気性を良くすることができる。この開口４１２は、椅子１の持ち運び作業やスタッキング作業を行う際の取っ手として利用することもできる。特に、開口４１２の周囲には、この開口４１２の全周を囲うようにフランジ部４１３が設けられているため、開口４１２を取っ手として利用する際にはこのフランジ部４１３に手を掛けることができる。この開口４１２に手を掛けたときに、フランジ部４１３によって開口縁部のみ厚みを大きくすることができ、これにより手にかかる荷重を分散できるため、手が痛くならないという効果が得られる。また、このフランジ部４１３には、椅子１の背面からの美観を良好なものにするという効果もある。この背板４が取り付けられる後脚２３は、シェル状をなす背板本体４１に嵌っている部分より円筒状をなす取付部４２に嵌っている部分の方が多い。そのため、背板４が荷重を受けた際に後方に変形する動きを後脚２３が阻害してしまうことはない。また、背板４の背板本体４１は、中央部が後方に突となるように湾曲しているとともに、左右両端の取付部４２に対応する部分は、湾曲することなく平坦なものである。そのため、背板本体４１の中央部で着座者の背中を包み込むようなホールド感を与えるとともに、学校用または事務用等として使用される際によく生じる着座者が上半身をひねって横を向く動作にも支障を与えることない設計となっている。
【００４８】
なお、本発明は以上に述べた実施形態に限られない。
【００４９】
連結フレームは、上述したような縁に折曲げ部を有しない平板状のものの他、前縁または後縁のいずれか一方に厚み方向に折り曲げた折曲げ部を有する側面視Ｌ字形のものや、前後両縁に厚み方向に折り曲げた折曲げ部を有する側面視コ字形のものであってもよい。
【００５０】
支持突部は、前後に連続的に伸びるリブ状のものに限られず、一又は間欠的に設けられた複数の突起等であってもよい。
【００５１】
また、位置決め突部は、支持突部と直交する横リブに限られず、一又は間欠的に設けられた複数の突起や、リブの一部のみが位置決めを行うような突出量を有するものであってもよい。また、位置決め突部は、連結フレームの前縁側及び後縁側のいずれか一方のみに設けられるものであってもよい。さらに、この位置決め突部は、支持突部と一体に形成されたものに限られない。
【００５２】
本発明のフレームの傾斜部分は、座受用側フレームの一部分に設けられたものであっても、全部分に設けられたものであってもよい。また、フレームに傾斜部分に対応する突部の傾斜部分も、一部分に設けられたものであっても、全部分に設けられたものであってもよい。一部分に設けられた突部の場合、本実施形態のような連続的なリブ状のものに限られず、間欠的な複数の突起が傾斜して並んでいるものであってもよい。複数の突起を間隔を開けて配列したものの一例としては、座板の裏面側に設けられた複数の円筒状をなす突起の配列が傾斜しているもの等が考えられる。
【００５３】
突部は、前端から後方に向けて左右間距離が漸次小さくなるように傾斜させて形成された前開き形状のみからなるものや、後端から前方に向けて左右間距離が漸次小さくなるように傾斜させて形成された後開き形状のみからなるものであってもよい。
【００５４】
また、突部は、座受用フレームの外側に配されるものや、座受用フレームの内側及び外側の両側に配されるものであってもよい
その他、本発明の趣旨を損ねない範囲で種々に変更してよい。
【符号の説明】
【００５５】
２４…後ろの座受用連結フレーム
２４１…端縁
２４２…平面部
２４５…前縁
２４６…後縁
２５…座受用側フレーム
２５２…後端部
２５３、２５４…傾斜部分
３…座板
３９…後端部分
【図１】
2012090791.tif 000003
【図２】
2012090791.tif 000004
【図３】
2012090791.tif 000005
【図４】
2012090791.tif 000006
【図５】
2012090791.tif 000007
【図６】
2012090791.tif 000008
【図７】
2012090791.tif 000009
【図８】
2012090791.tif 000010
【図９】
2012090791.tif 000011
【図１０】
2012090791.tif 000012
【図１１】
2012090791.tif 000013
【図１２】
2012090791.tif 000014
【図１３】
2012090791.tif 000015
【図１４】
2012090791.tif 000016
【図１５】
2012090791.tif 000017
【図１６】
2012090791.tif 000018